【手続補正書】
【提出日】平成24年12月7日(2012.12.7)
【手続補正１】
【補正対象書類名】特許請求の範囲
【補正対象項目名】全文
【補正方法】変更
【補正の内容】
【特許請求の範囲】
【請求項１】
第１の張架部材と、当該第１の張架部材よりも上方に設けられた第２の張架部材と、当該第１の張架部材および当該第２の張架部材に掛け渡されて回転するベルト部材と、当該第１の張架部材の位置決めに用いられる位置決め部材とを備えたベルトユニットと、
前記第１の張架部材よりも下方に設けられ、当該第１の張架部材と対向する位置で前記ベルト部材の外周面に圧接することで、当該ベルト部材との間に未定着トナー像を保持した記録材が通過するための定着加圧部を形成する加圧部材と、
側方に向かって開口する凹部と当該凹部の下側の端部から下方に向かって傾斜する傾斜部とが形成され、前記加圧部材を回転可能に支持する第１の筐体と、
前記第１の筐体に対し閉じる方向に移動する閉動作に伴って前記位置決め部材を押圧することにより前記凹部に前記位置決め部材をはめ込ませ、当該第１の筐体に対し当該閉じる方向とは逆の開く方向に移動する開動作に伴って当該位置決め部材に対する押圧を解除することにより当該位置決め部材を当該凹部から前記傾斜部に沿って移動可能にする第２の筐体と
を含む定着装置。
【請求項２】
前記ベルトユニットにおいて前記位置決め部材よりも上方に設けられた他の位置決め部材と、
前記第１の筐体において前記凹部よりも上方に設けられ、前記他の位置決め部材を上下方向への移動を許容するように受ける受け部と
をさらに含むことを特徴とする請求項１記載の定着装置。
【請求項３】
前記第２の筐体に設けられ、前記第１の筐体に対する当該第２の筐体の閉動作に伴って、前記位置決め部材を前記凹部に向けて押し付ける第１の押し付け部材と、
前記第２の筐体に弾性部材を介して当該第２の筐体に取り付けられ、前記第１の筐体に対する当該第２の筐体のさらなる閉動作に伴って、前記第１の押し付け部材に代わって前記位置決め部材を前記凹部に向けて押し付ける第２の押し付け部材と
をさらに含むことを特徴とする請求項１または２記載の定着装置。
【請求項４】
前記凹部の上側の端部は、当該凹部に前記位置決め部材がはめ込まれた状態で、前記加圧部材によって前記第１の張架部材にかかる力を受ける位置を越えるように形成されることを特徴とする請求項１乃至３のいずれか１項記載の定着装置。
【請求項５】
前記第１の張架部材または前記第２の張架部材の少なくともいずれか一方に内蔵され、当該第１の張架部材または当該第２の張架部材を介して前記ベルト部材を加熱する加熱源と、
前記ベルト部材の外周面に接触して配置され、当該ベルト部材を外部加熱する外部加熱部材とをさらに備え、
前記外部加熱部材は、前記第２の筐体に取り付けられるとともに当該第２の筐体の開動作に伴って前記ベルト部材から離れることを特徴とする請求項１乃至４のいずれか１項記載の定着装置。
【請求項６】
記録材上に未定着トナー像を形成するトナー像形成手段と、
第１の張架部材と、当該第１の張架部材よりも上方に設けられた第２の張架部材と、当該第１の張架部材および当該第２の張架部材に掛け渡されて回転するベルト部材と、当該第１の張架部材の位置決めに用いられる位置決め部材とを備えたベルトユニットと、当該第１の張架部材よりも下方に設けられ、当該第１の張架部材と対向する位置で当該ベルト部材の外周面に圧接することで、当該ベルト部材との間に前記未定着トナー像を保持した前記記録材が通過するための定着加圧部を形成する加圧部材とを備えた定着手段と、
側方に向かって開口する凹部と当該凹部の下側の端部から下方に向かって傾斜する傾斜部とが形成され、前記加圧部材を回転可能に支持する第１の筐体と、
前記第１の筐体に対し閉じる方向に移動する閉動作に伴って前記位置決め部材を押圧することにより前記凹部に前記位置決め部材をはめ込ませ、当該第１の筐体に対し当該閉じる方向とは逆の開く方向に移動する開動作に伴って当該位置決め部材に対する押圧を解除することにより当該位置決め部材を当該凹部から前記傾斜部に沿って移動可能にする第２の筐体と
を有する画像形成装置。
【手続補正２】
【補正対象書類名】明細書
【補正対象項目名】０００５
【補正方法】変更
【補正の内容】
【０００５】
請求項１記載の発明は、第１の張架部材と、当該第１の張架部材よりも上方に設けられた第２の張架部材と、当該第１の張架部材および当該第２の張架部材に掛け渡されて回転するベルト部材と、当該第１の張架部材の位置決めに用いられる位置決め部材とを備えたベルトユニットと、前記第１の張架部材よりも下方に設けられ、当該第１の張架部材と対向する位置で前記ベルト部材の外周面に圧接することで、当該ベルト部材との間に未定着トナー像を保持した記録材が通過するための定着加圧部を形成する加圧部材と、側方に向かって開口する凹部と当該凹部の下側の端部から下方に向かって傾斜する傾斜部とが形成され、前記加圧部材を回転可能に支持する第１の筐体と、前記第１の筐体に対し閉じる方向に移動する閉動作に伴って前記位置決め部材を押圧することにより前記凹部に前記位置決め部材をはめ込ませ、当該第１の筐体に対し当該閉じる方向とは逆の開く方向に移動する開動作に伴って当該位置決め部材に対する押圧を解除することにより当該位置決め部材を当該凹部から前記傾斜部に沿って移動可能にする第２の筐体とを含む定着装置である。
【手続補正３】
【補正対象書類名】明細書
【補正対象項目名】０００６
【補正方法】変更
【補正の内容】
【０００６】
請求項２記載の発明は、前記ベルトユニットにおいて前記位置決め部材よりも上方に設けられた他の位置決め部材と、前記第１の筐体において前記凹部よりも上方に設けられ、前記他の位置決め部材を上下方向への移動を許容するように受ける受け部と
をさらに含むことを特徴とする請求項１記載の定着装置である。
請求項３記載の発明は、前記第２の筐体に設けられ、前記第１の筐体に対する当該第２の筐体の閉動作に伴って、前記位置決め部材を前記凹部に向けて押し付ける第１の押し付け部材と、前記第２の筐体に弾性部材を介して当該第２の筐体に取り付けられ、前記第１の筐体に対する当該第２の筐体のさらなる閉動作に伴って、前記第１の押し付け部材に代わって前記位置決め部材を前記凹部に向けて押し付ける第２の押し付け部材とをさらに含むことを特徴とする請求項１または２記載の定着装置である。
請求項４記載の発明は、前記凹部の上側の端部は、当該凹部に前記位置決め部材がはめ込まれた状態で、前記加圧部材によって前記第１の張架部材にかかる力を受ける位置を越えるように形成されることを特徴とする請求項１乃至３のいずれか１項記載の定着装置である。
請求項５記載の発明は、前記第１の張架部材または前記第２の張架部材の少なくともいずれか一方に内蔵され、当該第１の張架部材または当該第２の張架部材を介して前記ベルト部材を加熱する加熱源と、前記ベルト部材の外周面に接触して配置され、当該ベルト部材を外部加熱する外部加熱部材とをさらに備え、前記外部加熱部材は、前記第２の筐体に取り付けられるとともに当該第２の筐体の開動作に伴って前記ベルト部材から離れることを特徴とする請求項１乃至４のいずれか１項記載の定着装置である。
【手続補正４】
【補正対象書類名】明細書
【補正対象項目名】０００７
【補正方法】変更
【補正の内容】
【０００７】
請求項６記載の発明は、記録材上に未定着トナー像を形成するトナー像形成手段と、第１の張架部材と、当該第１の張架部材よりも上方に設けられた第２の張架部材と、当該第１の張架部材および当該第２の張架部材に掛け渡されて回転するベルト部材と、当該第１の張架部材の位置決めに用いられる位置決め部材とを備えたベルトユニットと、当該第１の張架部材よりも下方に設けられ、当該第１の張架部材と対向する位置で当該ベルト部材の外周面に圧接することで、当該ベルト部材との間に前記未定着トナー像を保持した前記記録材が通過するための定着加圧部を形成する加圧部材とを備えた定着手段と、側方に向かって開口する凹部と当該凹部の下側の端部から下方に向かって傾斜する傾斜部とが形成され、前記加圧部材を回転可能に支持する第１の筐体と、前記第１の筐体に対し閉じる方向に移動する閉動作に伴って前記位置決め部材を押圧することにより前記凹部に前記位置決め部材をはめ込ませ、当該第１の筐体に対し当該閉じる方向とは逆の開く方向に移動する開動作に伴って当該位置決め部材に対する押圧を解除することにより当該位置決め部材を当該凹部から前記傾斜部に沿って移動可能にする第２の筐体とを有する画像形成装置である。
【手続補正５】
【補正対象書類名】明細書
【補正対象項目名】００２２
【補正方法】変更
【補正の内容】
【００２２】
定着ベルトモジュール６１は、循環移動するベルト部材の一例としての定着ベルト６１０と、定着ベルト６１０を張架しながら回転動作し、定着ベルトモジュール６１と加圧ロール６２とが圧接（互いに押圧されながら接触）する領域である定着加圧部の一例としてのニップ部Ｎにて定着ベルト６１０を内側から加熱する第１の張架部材の一例としての定着ロール６１１と、定着ベルト６１０を内側から張架しながら定着ベルト６１０を加熱する第２の張架部材の一例としての内部加熱ロール６１２と、を備えている。また、定着ベルトモジュール６１は、定着ロール６１１と内部加熱ロール６１２との間（ニップ部Ｎの上流側）で定着ベルト６１０を張架する張架ロール６１４と、ニップ部Ｎ内の下流側領域であって定着ロール６１１の近くに配置された剥離部材の一例としての剥離パッド６４と、ニップ部Ｎと外部加熱ロール６１３との間（ニップ部Ｎの下流側）において定着ベルト６１０を張架する張架ロール６１５と、外部加熱ロール６１３からの押圧力を受けながら定着ベルト６１０を支持する支持ロール６１６と、を備えている。